【手続補正書】
【提出日】平成15年12月12日(2003.12.12)
【手続補正１】
【補正対象書類名】明細書
【補正対象項目名】特許請求の範囲
【補正方法】変更
【補正の内容】
【特許請求の範囲】
【請求項１】
第１のコンテンツへリンクするための情報処理装置であって、
前記第１のコンテンツに対応する第２のコンテンツから、前記第１のコンテンツに対して鍵を用いて付加されたリンク情報を、前記鍵を用いて取得するリンク情報取得手段と、
前記リンク情報取得手段で得られたリンク情報に基づいて、前記第１のコンテンツへリンクするリンク手段とを備えることを特徴とする情報処理装置。
【請求項２】
前記リンク手段は、前記第１のコンテンツと前記第２のコンテンツの比較結果に基づいて、前記第１のコンテンツを更新する更新手段を含むことを特徴とする請求項１に記載の情報処理装置。
【請求項３】
前記更新手段は、前記第１のコンテンツと前記第２のコンテンツが異なる場合に、前記第１のコンテンツを更新することを特徴とする請求項２に記載の情報処理装置。
【請求項４】
第１のコンテンツを有する情報処理装置であって、
鍵を用いて前記第１のコンテンツへリンク情報を付加する付加手段と、
前記付加手段によりリンク情報が付加された第１のコンテンツを第２のコンテンツへ変換する変換手段と、
前記変換手段で得られた第２のコンテンツをアクセス側へ提供する提供手段とを備えることを特徴とする情報処理装置。
【請求項５】
前記第１のコンテンツへのアクセス側を認証する認証手段を備えることを特徴とする請求項４に記載の情報処理装置。
【請求項６】
前記認証手段は、前記第１のコンテンツに付加されたリンク情報を前記アクセス側が取得していることにより認証していると判断することを特徴とする請求項５に記載の情報処理装置。
【請求項７】
前記鍵は、電子透かしの埋め込みパラメータを含むことを特徴とする請求項１〜６の何れか１項に記載の情報処理装置。
【請求項８】
前記鍵は、暗号化の鍵を含むことを特徴とする請求項１〜７の何れか１項に記載の情報処理装置。
【請求項９】
前記第１のコンテンツは、電子的なコンテンツであり、前記第２のコンテンツは、紙のコンテンツであることを特徴とする請求項１〜８の何れか１項に記載の情報処理装置。
【請求項１０】
前記リンク情報は、前記鍵を用いて前記第２のコンテンツから取得可能であり、前記第１のコンテンツへのアクセスを制御するための情報を含むことを特徴とする請求項１〜９の何れか１項に記載の情報処理装置。
【請求項１１】
前記リンク情報は、前記第１のコンテンツの固有情報を含むことを特徴とする請求項１〜９の何れか１項に記載の情報処理装置。
【請求項１２】
複数の機器が互いに通信可能に接続されてなる情報処理システムであって、
前記複数の機器のうち少なくとも１つの機器は、請求項１〜１１の何れか１項に記載の情報処理装置の機能を有することを特徴とする情報処理システム。
【請求項１３】
第１のコンテンツへのアクセス制御を含むコンテンツ管理方法であって、
前記第１のコンテンツに対応する第２のコンテンツを入力する入力ステップと、
鍵を入力する入力ステップと、
前記第２のコンテンツから、前記鍵を用いて前記第１のコンテンツに付加されたリンク情報を取得するリンク情報取得ステップとを含み、
前記リンク情報は、前記第１のコンテンツヘのアクセスを制御するための情報を含むことを特徴とするコンテンツ管理方法。
【請求項１４】
前記リンク取得ステップにより取得したリンク情報に基づいて、前記第１のコンテンツへアクセスするリンクステップを有することを特徴とする請求項１３に記載のコンテンツ管理方法。
【請求項１５】
前記リンク取得ステップにより取得したリンク情報に基づいて、リンク先の前記第１のコンテンツを更新する更新ステップを有することを特徴とする請求項１３に記載のコンテンツ管理方法。
【請求項１６】
前記更新ステップは、前記第１のコンテンツと前記第２のコンテンツが異なる場合に、前記第１のコンテンツを更新するステップを含むことを特徴とする請求項１５に記載のコンテンツ管理方法。
【請求項１７】
第１のコンテンツへのアクセス制御を含むコンテンツ管理方法であって、
前記第１のコンテンツを記憶する記憶ステップと、
鍵を用いて前記第１のコンテンツにリンク情報を付加する付加ステップと、
前記第１のコンテンツを第２のコンテンツヘ変換して出力する出力ステップとを含み、
前記リンク情報は、前記第１のコンテンツヘのアクセスを制御するための情報を含むことを特徴とするコンテンツ管理方法。
【請求項１８】
前記記憶ステップは、前記第１のコンテンツへアクセスしてきたエンティティを認証する認証ステップを含むことを特徴とする請求項１７に記載のコンテンツ管理方法。
【請求項１９】
前記認証ステップは、前記エンティティが前記第１のコンテンツのリンク情報を取得していることにより認証していると判断するステップを含むことを特徴とする請求項１８に記載のコンテンツ管理方法。
【請求項２０】
前記鍵は、電子透かしの埋め込みパラメータを含むことを特徴とする請求項１３〜１９の何れか１項に記載のコンテンツ管理方法。
【請求項２１】
前記鍵は、暗号化の鍵を含むことを特徴とする請求項１３〜２０の何れか１項に記載のコンテンツ管理方法。
【請求項２２】
前記リンク情報は、前記第１のコンテンツに固有の情報であることを特徴とする請求項１３〜２１の何れか１項に記載のコンテンツ管理方法。
【請求項２３】
前記第１のコンテンツは、電子的なコンテンツであり、前記第２のコンテンツは、紙のコンテンツであることを特徴とする請求項１３〜２２の何れか１項に記載のコンテンツ管理方法。
【請求項２４】
請求項１３〜２３の何れか１項に記載のコンテンツ管理方法をコンピュータに実行させるためのプログラム。
【請求項２５】
請求項２４に記載のコンピュータプログラムを記憶することを特徴とするコンピュータ読み取り可能な記憶媒体。
【手続補正２】
【補正対象書類名】明細書
【補正対象項目名】００１５
【補正方法】変更
【補正の内容】
【００１５】
【課題を解決するための手段】
斯かる目的下において、本発明の情報処理装置は、第１のコンテンツへリンクするための情報処理装置であって、前記第１のコンテンツに対応する第２のコンテンツから、前記第１のコンテンツに対して鍵を用いて付加されたリンク情報を、前記鍵を用いて取得するリンク情報取得手段と、前記リンク情報取得手段で得られたリンク情報に基づいて、前記第１のコンテンツへリンクするリンク手段とを備えることを特徴とする。


【手続補正３】
【補正対象書類名】明細書
【補正対象項目名】００１６
【補正方法】変更
【補正の内容】
【００１６】
本発明の情報処理装置の他の態様は、第１のコンテンツを有する情報処理装置であって、鍵を用いて前記第１のコンテンツへリンク情報を付加する付加手段と、前記付加手段によりリンク情報が付加された第１のコンテンツを第２のコンテンツへ変換する変換手段と、前記変換手段で得られた第２のコンテンツをアクセス側へ提供する提供手段とを備えることを特徴とする。


【手続補正４】
【補正対象書類名】明細書
【補正対象項目名】００１７
【補正方法】変更
【補正の内容】
【００１７】
本発明の情報処理システムは、複数の機器が互いに通信可能に接続されてなる情報処理システムであって、前記複数の機器のうち少なくとも１つの機器は、前記情報処理装置の機能を有することを特徴とする。


【手続補正５】
【補正対象書類名】明細書
【補正対象項目名】００１８
【補正方法】変更
【補正の内容】
【００１８】
本発明のコンテンツ管理方法は、第１のコンテンツへのアクセス制御を含むコンテンツ管理方法であって、前記第１のコンテンツに対応する第２のコンテンツを入力する入力ステップと、鍵を入力する入力ステップと、前記第２のコンテンツから、前記鍵を用いて前記第１のコンテンツに付加されたリンク情報を取得するリンク情報取得ステップとを含み、前記リンク情報は、前記第１のコンテンツヘのアクセスを制御するための情報を含むことを特徴とする。


【手続補正６】
【補正対象書類名】明細書
【補正対象項目名】００１９
【補正方法】変更
【補正の内容】
【００１９】
本発明のコンテンツ管理方法の他の態様は、第１のコンテンツへのアクセス制御を含むコンテンツ管理方法であって、前記第１のコンテンツを記憶する記憶ステップと、鍵を用いて前記第１のコンテンツにリンク情報を付加する付加ステップと、前記第１のコンテンツを第２のコンテンツヘ変換して出力する出力ステップとを含み、前記リンク情報は、前記第１のコンテンツヘのアクセスを制御するための情報を含むことを特徴とする。


【手続補正７】
【補正対象書類名】明細書
【補正対象項目名】００２０
【補正方法】変更
【補正の内容】
【００２０】
本発明のプログラムは、前記コンテンツ管理方法をコンピュータに実行させることを特徴とする。


【手続補正８】
【補正対象書類名】明細書
【補正対象項目名】００２１
【補正方法】変更
【補正の内容】
【００２１】
本発明のコンピュータ読み取り可能な記憶媒体は、前記コンピュータプログラムを記憶したことを特徴とする。


【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】
【手続補正２８】
【補正対象書類名】明細書
【補正対象項目名】００４１
【補正方法】削除
【補正の内容】
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】削除
【補正の内容】
【手続補正３１】
【補正対象書類名】明細書
【補正対象項目名】００４４
【補正方法】削除
【補正の内容】
【手続補正３２】
【補正対象書類名】明細書
【補正対象項目名】００４５
【補正方法】削除
【補正の内容】
【手続補正３３】
【補正対象書類名】明細書
【補正対象項目名】００４６
【補正方法】削除
【補正の内容】
【手続補正３４】
【補正対象書類名】明細書
【補正対象項目名】００４７
【補正方法】削除
【補正の内容】
【手続補正３５】
【補正対象書類名】明細書
【補正対象項目名】００４８
【補正方法】削除
【補正の内容】
【手続補正３６】
【補正対象書類名】明細書
【補正対象項目名】００４９
【補正方法】削除
【補正の内容】
【手続補正３７】
【補正対象書類名】明細書
【補正対象項目名】００５０
【補正方法】削除
【補正の内容】
【手続補正３８】
【補正対象書類名】明細書
【補正対象項目名】００５１
【補正方法】削除
【補正の内容】
【手続補正３９】
【補正対象書類名】明細書
【補正対象項目名】００５２
【補正方法】削除
【補正の内容】
【手続補正４０】
【補正対象書類名】明細書
【補正対象項目名】００５３
【補正方法】削除
【補正の内容】
【手続補正４１】
【補正対象書類名】明細書
【補正対象項目名】００５４
【補正方法】削除
【補正の内容】
【手続補正４２】
【補正対象書類名】明細書
【補正対象項目名】００５５
【補正方法】削除
【補正の内容】
【手続補正４３】
【補正対象書類名】明細書
【補正対象項目名】００５６
【補正方法】削除
【補正の内容】
【手続補正４４】
【補正対象書類名】明細書
【補正対象項目名】００５７
【補正方法】削除
【補正の内容】
【手続補正４５】
【補正対象書類名】明細書
【補正対象項目名】００５８
【補正方法】削除
【補正の内容】